(57)【特許請求の範囲】
【請求項１】
上側面、左側面および右側面において連続するように形成された溝から成る凹部が設けられた部材であって、上側面の幅が前記部材の上側面の幅より短く下側面の側の幅が前記部材の下側面の幅と同じになるようにテーパが形成された前面を有するベース部材と、
前記ベース部材の前面に搭載された計量部と、
上側面パネル、左側面パネルおよび右側面パネルを有し、下側面は開放され、前記計量部が搭載された前記ベース部材の上側面と上側面パネルの内壁、前記ベース部材の左側面と左側面パネルの内壁および前記ベース部材の右側面と右側面パネルの内壁とがそれぞれ接触するように取り付けられるカバーと、
を備え、
前記カバーには、前記上側面パネルの側が一定の高さを有し前記左側面パネル及び前記右側面パネルの側が前記一定の高さから徐々に低くなり下側面で前記カバーの内壁と同じ高さになるようにテーパ状の凸部が形成され、前記ベース部材に取り付けられた場合に、該ベース部材に形成された前記凹部が前記カバーに形成された前記凸部と嵌合することを特徴とする電力量計。
【請求項２】
前記ベース部材には前記凹部が複数形成されており、前記カバーに形成された凸部は、前記複数の凹部の内の前記カバーに最も近い凹部に嵌合することを特徴とする請求項１記載の電力量計。
【請求項３】
前記ベース部材には前記凹部が複数形成されており、前記カバーには前記凸部が複数形成されており、前記カバーに形成された前記複数の凸部は、前記ベース部材に形成された前記複数の凹部にそれぞれ嵌合することを特徴とする請求項１記載の電力量計。
【発明の詳細な説明】
【技術分野】
【０００１】
本発明は、電力量を計測する電力量計に関し、特にその防水構造に関する。
【背景技術】
【０００２】
従来、電力量計の防水構造として、カバーとベース部材との間にパッキンを挟み、数点のネジで固定して、防水性能を確保した構造が知られている。また、特許文献１は、シール材を不用として組付性の向上を図り、長期間に亘り安定したシール性能を確保することができる電力量計等の縦型防水ケースを開示している。
【先行技術文献】
【特許文献】
【０００３】
【特許文献１】特開２０００−２３２２７５号公報
【発明の概要】
【発明が解決しようとする課題】
【０００４】
しかしながら、パッキンを使用した電力量計の防水構造は、パッキンを取り付ける必要があるので、部品点数の増加、組み立て作業時間の増加および製品廃棄費用の増加などを招き、電力量計のコストアップ要因となっている。
【０００５】
本発明は、上述した問題を解消するためになされたものであり、その課題は、パッキンレス化を図った防水構造を有する電力量計を提供することにある。
【課題を解決するための手段】
【０００６】
上記の課題を解決するために、本発明に係る電力量計は、上側面、左側面および右側面において連続するように形成された溝から成る凹部が設けられた部材であって、上側面の幅が前記部材の上側面の幅より短く下側面の側の幅が前記部材の下側面の幅と同じになるようにテーパが形成された前面を有するベース部材と、前記ベース部材の前面に搭載された計量部と、上側面パネル、左側面パネルおよび右側面パネルを有し、下側面は開放され、前記計量部が搭載された前記ベース部材の上側面と上側面パネルの内壁、前記ベース部材の左側面と左側面パネルの内壁および前記ベース部材の右側面と右側面パネルの内壁とがそれぞれ接触するように取り付けられるカバーとを備え、前記カバーには、前記上側面パネルの側が一定の高さを有し前記左側面パネル及び前記右側面パネルの側が前記一定の高さから徐々に低くなり下側面で前記カバーの内壁と同じ高さになるようにテーパ状の凸部が形成され、前記ベース部材に取り付けられた場合に、該ベース部材に形成された前記凹部が前記カバーに形成された前記凸部と嵌合することを特徴とする。
【発明の効果】
【０００７】
本発明に係る電力量計によれば、カバーとベース部材との隙間から侵入した水は、上側面、左側面および右側面に形成された凹部を流れて、下方から排水されるので防水性能を確保することができる。その結果、パッキンが不要となり、パッキンレス化を図った防水構造を有する電力量計を提供できる。
【図面の簡単な説明】
【０００８】
【図１】本発明の実施例１に係る電力量計の構造を分解して示す外観斜視図である。
【図２】本発明の実施例２に係る電力量計の構造を分解して示す外観斜視図である。
【図３】本発明の実施例３に係る電力量計の構造を分解して示す外観斜視図である。
【図４】本発明の実施例４に係る電力量計の構造を分解して示す外観斜視図である。
【図５】本発明の実施例４に係る電力量計のカバーの凸部がベース部材の凹部に収まった状態を部分的に示す切断図である。
【図６】本発明の実施例５に係る電力量計の構造を分解して示す外観斜視図である。
【図７】本発明の実施例６に係る電力量計の構造を分解して示す外観斜視図である。
【図８】本発明の実施例７に係る電力量計の構造を分解して示す外観斜視図である。
【図９】本発明の実施例８に係る電力量計の構造を分解して示す外観斜視図である。
【図１０】本発明の実施例９に係る電力量計の構造を分解して示す外観斜視図である。
【発明を実施するための形態】
【０００９】
以下、本発明の実施の形態について、図面を参照しながら詳細に説明する。なお、以下においては、同一または相当する構成要素には同一符号を付して説明する。
【実施例１】
【００１０】
図１は、本発明の実施例１に係る電力量計の構造を分解して示す外観斜視図であり、図１（ａ）は斜め上方から見た図、図１（ｂ）は斜め下方から見た図である。
【００１１】
この電力量計は、ベース部材１ａ、計量部２およびカバー３を備えている。ベース部材１ａは、その背面が壁等に接するように取り付けられ、前面１１ａ１には計量部２が搭載されている。ベース部材１ａの上側面１１ｂ１、左側面１１ｃ１および右側面１１ｄ１には、これら３つの面において連続するように形成された溝から成る凹部１２ａが設けられている。
【００１２】
計量部２は、電力量を計測するための機構部品や回路基板等から成り、上述したように、ベース部材１ａの前面１１ａ１に搭載されている。
【００１３】
カバー３は、計量部２が搭載されたベース部材１ａの全体を覆うように形成されている。このカバー３は、前面パネル３１ａ、上側面パネル３１ｂ、左側面パネル３１ｃおよび右側面パネル３１ｄを有し、下側面が開放された箱状に形成されている。前面パネル３１ａの中央部分には、計量部２が接触することなく収容される凹部３２が形成されている。なお、開放された下側面からは、ベース部材１ａに設けられた複数の端子金具等からケーブル（図示は省略する）が引き出されるようになっている。
【００１４】
このカバー３は、ベース部材１ａの方向（図示矢印Ａ方向）に押圧され、ベース部材１ａの上側面１１ｂ１と上側面パネル３１ｂの内壁、ベース部材１ａの左側面１１ｃ１と左側面パネル３１ｃの内壁およびベース部材１ａの右側面１１ｄ１と右側面パネル３１ｄの内壁とがそれぞれ接触するように取り付けられる。
【００１５】
電力量計の組み立ては、ベース部材１ａにカバー３を押圧するだけで完了する。この組み立ての完了により、ベース部材１ａの側面とカバー３の内壁とが接触し合い、ベース部材１ａとカバー３とがシールされた状態になる。
【００１６】
このシールされた状態において、例えば、大雨等といった気象条件によってベース部材１ａとカバー３との接触部から雨水が侵入しても、侵入した雨水はベース部材１ａの側面に設けられた凹部１２ａを流れて、下方の開放部から自然落下するので、内部への水侵入を阻止することができる。
【００１７】
以上の構造により、外部からの水侵入を阻止するためのパッキンは不要になり、部品点数の増加、組み立て作業時間の増加および製品廃棄費用の増加などを回避することができ、電力量計を安価に作製することができる。また、シール材を使用しないので、品質的にも安定し、組み立て性が向上する。また、ゴム性のシール材を使用した場合のように耐久性を考慮する必要がなく、長期間に亘り安定したシール性能が得られる。
【００１８】
以上説明したように、本発明の実施例１に係る電力量計によれば、パッキンレスで防水性が確保された電力量計を提供できる。
【００１９】
なお、上述した実施例１では、本発明を電力量計に適用した場合について説明したが、電力量計以外の計器に適用することもできる。以下に説明する各実施例においても同様である。
【実施例２】
【００２０】
図２は、本発明の実施例２に係る電力量計の構造を分解して示す外観斜視図であり、図２（ａ）は斜め上方から見た図、図２（ｂ）は斜め下方から見た図である。
【００２１】
この電力量計は、ベース部材１ｂ、計量部２およびカバー３を備えている。ベース部材１ｂは、その背面が壁等に接するように取り付けられ、前面１１ａ２には計量部２が搭載されている。また、ベース部材１ｂの前面１１ａ２には、ベース部材１ｂの上側面１１ｂ２、左側面１１ｃ２および右側面１１ｄ２の各々から所定距離だけ内側に、連続するように形成された溝から成る凹部１２ｂが設けられている。
【００２２】
計量部２は、電力量を計測するための機構部品や回路基板等から成り、上述したように、ベース部材１ｂの前面１１ａ２であって、凹部１２ｂによって囲まれた領域内部に搭載されている。
【００２３】
カバー３は、上述した実施例１に係る電力量計と同じ構造を有し、計量部２が搭載されたベース部材１ｂの全体を覆うように形成されている。
【００２４】
このカバー３は、ベース部材１ｂの方向（図示矢印Ａ方向）に押圧され、ベース部材１ｂの上側面１１ｂ２と上側面パネル３１ｂの内壁、ベース部材１ｂの左側面１１ｃ２と左側面パネル３１ｃの内壁およびベース部材１ｂの右側面１１ｄ２と右側面パネル３１ｄの内壁とがそれぞれ接触するように取り付けられる。
【００２５】
電力量計の組み立ては、ベース部材１ｂにカバー３を押圧するだけで完了する。この組み立ての完了により、ベース部材１ｂの側面とカバー３の内壁とが接触し合い、ベース部材１ｂとカバー３とがシールされた状態になる。
【００２６】
このシールされた状態において、例えば、大雨等といった気象条件によってベース部材１ｂとカバー３との接触部から雨水が侵入しても、侵入した雨水はベース部材１ｂの前面１１ａ２に設けられた凹部１２ｂを流れて、下方の開放部から自然落下するので、内部への水侵入を阻止することができる。
【００２７】
以上説明したように、本発明の実施例２に係る電力量計によれば、上述した実施例１に係る電力量計と同様の効果が得られる。
【実施例３】
【００２８】
図３は、本発明の実施例３に係る電力量計の構造を分解して示す外観斜視図であり、図３（ａ）は斜め上方から見た図、図３（ｂ）は斜め下方から見た図である。
【００２９】
この電力量計は、ベース部材１ｃ、計量部２およびカバー３を備えている。ベース部材１ｃは、その背面が壁等に接するように取り付けられ、前面１１ａ３には計量部２が搭載されている。ベース部材１ｃの上側面１１ｂ１に形成された溝と、この溝に連続するように、ベース部材１ｃの前面１１ａ３であって、左側面から所定距離だけ内側および右側面から所定距離だけ内側に形成された溝から成る凹部１２ｂが設けられている。
【００３０】
計量部２は、電力量を計測するための機構部品や回路基板等から成り、上述したように、ベース部材１ｃの前面１１ａ３であって、ベース部材１ｃに設けられた２つの溝（凹部１２ｂの一部）の間に搭載されている。
【００３１】
カバー３は、上述した実施例１に係る電力量計と同じ構造を有し、計量部２が搭載されたベース部材１ｃの全体を覆うように形成されている。
【００３２】
このカバー３は、ベース部材１ｃの方向（図示矢印Ａ方向）に押圧され、ベース部材１ｃの上側面１１ｂ１と上側面パネル３１ｂの内壁、ベース部材１ｃの左側面１１ｃ２と左側面パネル３１ｃの内壁およびベース部材１ｃの右側面１１ｄ２と右側面パネル３１ｄの内壁とがそれぞれ接触するように取り付けられる。
【００３３】
電力量計の組み立ては、ベース部材１ｃにカバー３を押圧するだけで完了する。この組み立ての完了により、ベース部材１ｃの側面とカバー３の内壁とが接触し合い、ベース部材１ｃとカバー３とがシールされた状態になる。
【００３４】
このシールされた状態において、例えば、大雨等といった気象条件によってベース部材１ｃとカバー３との接触部から雨水が侵入しても、侵入した雨水はベース部材１ｃの上側面１１ｂ１と前面１１ａ３の左右に設けられた凹部１２ｂを流れて、下方の開放部から自然落下するので、内部への水侵入を阻止することができる。
【００３５】
以上説明したように、本発明の実施例３に係る電力量計によれば、上述した実施例１に係る電力量計と同様の効果が得られる。
【実施例４】
【００３６】
本発明の実施例４に係る電力量計は、実施例１に係る電力量計を変形したものである。図４は、実施例４に係る電力量計の構造を分解して示す外観斜視図であり、図４（ａ）は斜め上方から見た図、図４（ｂ）は斜め下方から見た図である。
【００３７】
この電力量計は、ベース部材１ｄ、計量部２およびカバー３を備えている。ベース部材１ｄは、その背面が壁等に接するように取り付けられ、前面１１ａ４には計量部２が搭載されている。ベース部材１ｄの上側面１１ｂ１、左側面１１ｃ１および右側面１１ｄ１には、これら３つの面において連続するように形成された溝から成る凹部１２ｃが設けられている。また、ベース部材１ｄの凹部１２ｃより前面１１ａ４側の部分は、上側面１１ｂ１の側の幅がベース部材１ｄの元の幅より短く、下側面の側の幅がベース部材１ｄの元の幅と同じになるようにテーパが形成されている。
【００３８】
計量部２は、上述した実施例１に係る電力量計のそれと同じである。
【００３９】
カバー３は、実施例１に係る電力量計のそれに、凸部３３ａが設けられた構造を有している。凸部３３ａの上側面パネル３１ｂ側は一定の高さを有し、左側面パネル３１ｃ側および右側面パネル３１ｄ側は、上記一定の高さから徐々に低くなり、開放された下側面では内壁と同じ高さになるようにテーパが形成されている。
【００４０】
このカバー３は、ベース部材１ｄの方向（図示矢印Ａ方向）に押圧されて凸部３３ａがベース部材１ｄの凹部１２ｃに収まるように位置合わせされた後に、上方向から下方向（図示矢印Ｂ方向）にスライドされる。これにより、図５の部分的な切断図に示すように、カバー３の凸部３３ａがベース部材１の凹部１２ｃに収まった状態で、ベース部材１ｄの上側面１１ｂ１と上側面パネル３１ｂの内壁、ベース部材１ｄの左側面１１ｃ１と左側面パネル３１ｃの内壁およびベース部材１ｄの右側面１１ｄ１と右側面パネル３１ｄの内壁とがそれぞれ接触するように取り付けられる。
【００４１】
電力量計の組み立ては、ベース部材１ｄにカバー３を押圧して下方にずらすだけで完了する。この組み立ての完了により、ベース部材１ｄの側面とカバー３の内壁とが接触し合い、ベース部材１ｄとカバー３とがシールされた状態になる。
【００４２】
このシールされた状態において、例えば、大雨等といった気象条件によってベース部材１ｄとカバー３との接触部から雨水が侵入しても、侵入した雨水はベース部材１ｄの側面に設けられた凹部１２ｃを流れて、下方の開放部から自然落下する。この際、カバー３の凸部３３ａがベース部材１ｄの凹部１２ｃに収まってシールされているので、上述した実施例１に係る電力量計よりも確実に内部への水侵入を阻止することができる。
【００４３】
以上説明したように、本発明の実施例４に係る電力量計によれば、上述した実施例１に係る電力量計と同様の効果が得られる。
【００４４】
なお、本発明の実施例４に係る電力量計は、実施例１に係る電力量計を変形したものであるが、実施例３に係る電力量計に実施例４と同様の変形を施して電力量計を作製することもできる。
【実施例５】
【００４５】
本発明の実施例５に係る電力量計は、実施例２に係る電力量計を変形したものである。図６は、実施例５に係る電力量計の構造を分解して示す外観斜視図であり、図６（ａ）は斜め上方から見た図、図６（ｂ）は斜め下方から見た図である。
【００４６】
この電力量計は、ベース部材１ｅ、計量部２およびカバー３を備えている。ベース部材１ｅは、その背面が壁等に接するように取り付けられ、前面１１ａ２には計量部２が搭載されている。ベース部材１ｅの構造は、実施例２に係る電力量計のそれと同じである。
【００４７】
計量部２は、上述した実施例１に係る電力量計のそれと同じである。
【００４８】
カバー３は、実施例１に係る電力量計のそれに、凸部３３ｂが設けられた構造を有している。凸部３３ｂは、上側面パネル３１ｂ、左側面パネル３１ｃおよび右側面パネル３１ｄの内壁から一定の距離を有するように形成されている。
【００４９】
このカバー３は、凸部３３ｂがベース部材１ｅの凹部１２ｂに収まるように位置合わせされた後に、ベース部材１ｅの方向（図示矢印Ａ方向）に押圧される。これにより、カバー３の凸部３３ｂがベース部材１ｅの凹部１２ｂに収まった状態で、ベース部材１ｅの上側面１１ｂ２と上側面パネル３１ｂの内壁、ベース部材１ｅの左側面１１ｃ２と左側面パネル３１ｃの内壁およびベース部材１ｅの右側面１１ｄ２と右側面パネル３１ｄの内壁とがそれぞれ接触するように取り付けられる。
【００５０】
電力量計の組み立ては、ベース部材１ｅにカバー３を押圧するだけで完了する。この組み立ての完了により、ベース部材１ｅの側面とカバー３の内壁とが接触し合うとともに、カバー３の凸部３３ｂがベース部材１ｅの凹部１２ｂに収まって、ベース部材１ｅとカバー３とがシールされた状態になる。
【００５１】
このシールされた状態において、例えば、大雨等といった気象条件によってベース部材１ｅとカバー３との接触部から雨水が侵入しても、侵入した雨水はベース部材１ｅの前面１１ａ２に設けられた凹部１２ｂを流れて、下方の開放部から自然落下する。この際、カバー３の凸部３３ｂがベース部材１ｅの凹部１２ｂに収まってシールされているので、上述した実施例２に係る電力量計よりも確実に内部への水侵入を阻止することができる。
【００５２】
以上説明したように、本発明の実施例５に係る電力量計によれば、上述した実施例１に係る電力量計と同様の効果が得られる。
【００５３】
なお、本発明の実施例５に係る電力量計は、実施例２に係る電力量計を変形したものであるが、実施例３に係る電力量計に実施例５と同様の変形を施して電力量計を作製することもできる。
【実施例６】
【００５４】
本発明の実施例６に係る電力量計は、実施例４に係る電力量計を変形したものである。図７は、実施例６に係る電力量計の構造を分解して示す外観斜視図であり、図７（ａ）は斜め上方から見た図、図７（ｂ）は斜め下方から見た図である。
【００５５】
この電力量計は、ベース部材１ｆ、計量部２およびカバー３を備えている。ベース部材１ｆは、その背面が壁等に接するように取り付けられ、前面１１ａには計量部２が搭載されている。ベース部材１ｆの上側面１１ｂ、左側面１１ｃおよび右側面１１ｄには、これら３つの面において連続するように形成された溝から成る第１の凹部１２ａ１および第２の凹部１２ａ２が設けられている。また、ベース部材１ｆの第２の凹部１２ａ２より前面１１ａ側の部分は、上側面１１ｂの側の幅がベース部材１ｆの元の幅より短く、下側面の側の幅がベース部材１の元の幅と同じになるようにテーパが形成されている。
【００５６】
計量部２は、上述した実施例１に係る電力量計のそれと同じである。カバー３は、実施例４に係る電力量計のそれと同じである。
【００５７】
カバー３は、ベース部材１ｆの方向（図示矢印Ａ方向）に押圧されて凸部３３ａがベース部材１ｆの第１の凹部１２ａ１に収まるように位置合わせされた後に、上方向から下方向（図示矢印Ｂ方向）にスライドされる。これにより、カバー３の凸部３３ａがベース部材１ｆの第１の凹部１２ａ１に収まった状態で、ベース部材１ｆの上側面１１ｂと上側面パネル３１ｂの内壁、ベース部材１ｆの左側面１１ｃと左側面パネル３１ｃの内壁およびベース部材１ｆの右側面１１ｄと右側面パネル３１ｄの内壁とがそれぞれ接触するように取り付けられる。
【００５８】
電力量計の組み立ては、ベース部材１ｆにカバー３を押圧して下方にずらすだけで完了する。この組み立ての完了により、ベース部材１ｆの側面とカバー３の内壁とが接触し合うとともに、カバー３の凸部３３ａがベース部材１の第１の凹部１２ａ１に収まって、ベース部材１ｆとカバー３とがシールされた状態になる。
【００５９】
このシールされた状態において、例えば、大雨等といった気象条件によってベース部材１ｆとカバー３との接触部から雨水が侵入しても、侵入した雨水はベース部材１ｆの側面に設けられた第２の凹部１２ａ２を流れて、下方の開放部から自然落下する。この際、侵入した雨水が第２の凹部１２ａ２を超えて第１の凹部１２ａ１に達したとしても、カバー３の凸部３３ａがベース部材１ｆの第１の凹部１２ａ１に収まってシールされているので、上述した実施例４に係る電力量計よりも確実に内部への水侵入を阻止することができる。
【００６０】
以上説明したように、本発明の実施例６に係る電力量計によれば、上述した実施例１に係る電力量計と同様の効果が得られる。
【実施例７】
【００６１】
本発明の実施例７に係る電力量計は、実施例５に係る電力量計を変形したものである。図８は、実施例７に係る電力量計の構造を分解して示す外観斜視図であり、図８（ａ）は斜め上方から見た図、図８（ｂ）は斜め下方から見た図である。
【００６２】
この電力量計は、ベース部材１ｇ、計量部２およびカバー３を備えている。ベース部材１ｇは、その背面が壁等に接するように取り付けられ、前面１１ａ２には計量部２が搭載されている。また、ベース部材１ｇの前面１１ａ２には、ベース部材１ｇの上側面１１ｂ２、左側面１１ｃ２および右側面１１ｄ２の各々から所定距離だけ内側に、連続するように形成された溝から成る第２の凹部１２ｂ２が設けられ、さらに、その内側に、連続するように形成された溝から成る第１の凹部１２ｂ１が設けられている。
【００６３】
計量部２は、上述した実施例１に係る電力量計のそれと同じである。カバー３は、実施例５に係る電力量計のそれと同じである。
【００６４】
カバー３は、凸部３３ｃがベース部材１ｇの第１の凹部１２ｂ１に収まるように位置合わせされた後に、ベース部材１ｇの方向（図示矢印Ａ方向）に押圧される。これにより、カバー３の凸部３３ｃがベース部材１ｇの第１の凹部１２ｂ１に収まった状態で、ベース部材１ｇの上側面１１ｂ２と上側面パネル３１ｂの内壁、ベース部材１ｇの左側面１１ｃ２と左側面パネル３１ｃの内壁およびベース部材１ｇの右側面１１ｄ２と右側面パネル３１ｄの内壁とがそれぞれ接触するように取り付けられる。
【００６５】
電力量計の組み立ては、ベース部材１ｇにカバー３を押圧するだけで完了する。この組み立ての完了により、ベース部材１ｇの側面とカバー３の内壁とが接触し合うとともに、カバー３の凸部３３ｃがベース部材１ｇの第１の凹部１２ｂ１に収まって、ベース部材１ｇとカバー３とがシールされた状態になる。
【００６６】
このシールされた状態において、例えば、大雨等といった気象条件によってベース部材１ｇとカバー３との接触部から雨水が侵入しても、侵入した雨水はベース部材１ｇの側面に設けられた第２の凹部１２ｂ２を流れて、下方の開放部から自然落下する。この際、侵入した雨水が第２の凹部１２ｂ２を超えて第１の凹部１２ｂ１に達したとしても、カバー３の凸部３３ｃがベース部材１ｇの第１の凹部１２ｂ１に収まってシールされているので、上述した実施例５に係る電力量計よりも確実に内部への水侵入を阻止することができる。
【００６７】
以上説明したように、本発明の実施例７に係る電力量計によれば、上述した実施例１に係る電力量計と同様の効果が得られる。
【実施例８】
【００６８】
本発明の実施例８に係る電力量計は、実施例６に係る電力量計を変形したものである。図９は、実施例６に係る電力量計の構造を分解して示す外観斜視図であり、図９（ａ）は斜め上方から見た図、図９（ｂ）は斜め下方から見た図である。
【００６９】
この電力量計は、ベース部材１ｈ、計量部２およびカバー３を備えている。ベース部材１ｈは、その背面が壁等に接するように取り付けられ、前面１１ａには計量部２が搭載されている。このベース部材１ｈの構造は、実施例６に係る電力量計のそれと同じである。
【００７０】
計量部２は、上述した実施例１に係る電力量計のそれと同じである。
【００７１】
カバー３は、実施例１に係る電力量計のそれに、第１の凸部３３ａ１および第２の凸部３３ａ２が設けられた構造を有している。第１の凸部３３ａ１および第２の凸部３３ａ２の各々の上側面パネル３１ｂ側は一定の高さを有し、左側面パネル３１ｃおよび右側面パネル３１ｄ側は、上記一定の高さから徐々に低くなり、開放された下側面では内壁と同じ高さになるようにテーパが形成されている。
【００７２】
カバー３は、ベース部材１ｈの方向（図示矢印Ａ方向）に押圧されて第１の凸部３３ａ１および第２の凸部３３ａ２がベース部材１ｈの第１の凹部１２ａ１および第２の凹部１２ａ２に収まるように位置合わせされた後に、上方向から下方向（図示矢印Ｂ方向）にスライドされる。これにより、カバー３の第１の凸部３３ａ１および第２の凸部３３ａ２がベース部材１ｈの第１の凹部１２ａ１および第２の凹部１２ａ２にそれぞれ収まった状態で、ベース部材１ｈの上側面１１ｂと上側面パネル３１ｂの内壁、ベース部材１ｈの左側面１１ｃと左側面パネル３１ｃの内壁およびベース部材１ｈの右側面１１ｄと右側面パネル３１ｄの内壁とがそれぞれ接触するように取り付けられる。
【００７３】
電力量計の組み立ては、ベース部材１ｈにカバー３を押圧して下方にずらすだけで完了する。この組み立ての完了により、ベース部材１ｈの側面とカバー３の内壁とが接触し合うとともに、カバー３の第１の凸部３３ａ１および第２の凸部３３ａ２がベース部材１の第１の凹部１２ａ１および第２の凹部１２ａ２にそれぞれ収まって、ベース部材１ｈとカバー３とがシールされた状態になる。
【００７４】
このシールされた状態において、例えば、大雨等といった気象条件によってベース部材１ｈとカバー３との接触部から雨水が侵入しても、侵入した雨水はベース部材１ｈの側面に設けられた第１の凹部１２ａ１および第２の凹部１２ａ２を流れて、下方の開放部から自然落下する。この際、カバー３の第１の凸部３３ａ１および第２の凸部３３ａ２がベース部材１ｈの第１の凹部１２ａ１および第２の凹部１２ａ２にそれぞれ収まって２段階でシールされているので、上述した実施例６に係る電力量計よりも確実に内部への水侵入を阻止することができる。
【００７５】
以上説明したように、本発明の実施例８に係る電力量計によれば、上述した実施例１に係る電力量計と同様の作用および効果が得られる。
【実施例９】
【００７６】
本発明の実施例９に係る電力量計は、実施例７に係る電力量計を変形したものである。図１０は、実施例９に係る電力量計の構造を分解して示す外観斜視図であり、図１０（ａ）は斜め上方から見た図、図１０（ｂ）は斜め下方から見た図である。
【００７７】
この電力量計は、ベース部材１ｉ、計量部２およびカバー３を備えている。ベース部材１ｉは、その背面が壁等に接するように取り付けられ、前面１１ａ２には計量部２が搭載されている。このベース部材１ｉの構造は、実施例７に係る電力量計のそれと同じである。
【００７８】
計量部２は、上述した実施例１に係る電力量計のそれと同じである。
【００７９】
カバー３は、実施例２に係る電力量計のそれに、第１の凸部３３ｃ１および第２の凸部３３ｃ２が設けられた構造を有している。第１の凸部３３ｃ１および第２の凸部３３ｃ２の各々は、上側面パネル３１ｂ、左側面パネル３１ｃおよび右側面パネル３１ｄの内壁から一定の距離を有するように形成されている。
【００８０】
カバー３は、第１の凸部３３ｃ１および第２の凸部３３ｃ２がベース部材１ｉの第１の凹部１２ｂ１および第２の凹部１２ｂ２にそれぞれ収まるように位置合わせされた後に、ベース部材１ｉの方向（図示矢印Ａ方向）に押圧される。これにより、カバー３の第１の凸部３３ｃ１および第２の凸部３３ｃ２がベース部材１ｉの第１の凹部１２ｂ１および第２の凹部１２ｂ２にそれぞれ収まった状態で、ベース部材１ｉの上側面１１ｂと上側面パネル３１ｂの内壁、ベース部材１ｉの左側面１１ｃ２と左側面パネル３１ｃの内壁およびベース部材１ｉの右側面１１ｄ２と右側面パネル３１ｄの内壁とがそれぞれ接触するように取り付けられる。
【００８１】
電力量計の組み立ては、ベース部材１ｉにカバー３を押圧するだけで完了する。この組み立ての完了により、ベース部材１ｉの側面とカバー３の内壁とが接触し合うとともに、カバー３の第１の凸部３３ｃ１および第２の凸部３３ｃ２がベース部材１ｉの第１の凹部１２ｂ１および第２の凹部１２ｂ２に収まって、ベース部材１ｉとカバー３とがシールされた状態になる。
【００８２】
このシールされた状態において、例えば、大雨等といった気象条件によってベース部材１ｉとカバー３との接触部から雨水が侵入しても、侵入した雨水はベース部材１ｉの側面に設けられた第１の凹部１２ｂ１および第２の凹部１２ｂ２を流れて、下方の開放部から自然落下する。この際、カバー３の第１の凹部１２ｃ１および第２の凹部１２ｃ２がベース部材１ｉの第１の凹部１２ｂ１および第２の凹部１２ｂ２にそれぞれ収まって２段階でシールされているので、上述した実施例７に係る電力量計よりも確実に内部への水侵入を阻止することができる。
【００８３】
以上説明したように、本発明の実施例９に係る電力量計によれば、上述した実施例１に係る電力量計と同様の効果が得られる。
【産業上の利用可能性】
【００８４】
本発明は、例えば野外等といった風雨に晒される場所に設置される種々の計器に利用することができる。
【符号の説明】
【００８５】
１ａ〜１ｉ  ベース部材
２  計量部
３  カバー
１１ａ１〜１１ａ４  ベース部材の前面
１１ｂ，１１ｂ１〜１１ｂ２  ベース部材の上側面
１１ｃ，１１ｃ１〜１１ｃ２  ベース部材の左側面
１１ｄ，１１ｄ１〜１１ｄ２  ベース部材の右側面
１２ａ，１２ｂ  ベース部材の凹部
１２ａ１  ベース部材の第１の凹部
１２ａ２  ベース部材の第２の凹部
３１ａ  カバーの前面パネル
３１ｂ  カバーの上側面パネル
３１ｃ  カバーの左側面パネル
３１ｄ  カバーの右側面パネル
３２  カバーの凹部
３３ａ〜３３ｃ  カバーの凸部
３３ａ１，３３ｃ１  カバーの第１の凸部
３３ａ２，３３ｃ２  カバーの第２の凸部
【図１】
0006023454.tif 000002
【図２】
0006023454.tif 000003
【図３】
0006023454.tif 000004
【図４】
0006023454.tif 000005
【図５】
0006023454.tif 000006
【図６】
0006023454.tif 000007
【図７】
0006023454.tif 000008
【図８】
0006023454.tif 000009
【図９】
0006023454.tif 000010
【図１０】
0006023454.tif 000011